(57)【要約】      （修正有）【課題】測定器の表示部を読み取りやすくする測定器を提供する。【解決手段】通常のＭ型ノギスの場合で、主尺部１は左側のジョウ３と、そして、表示器兼スライダー部２は、右側ジョウ４と一体になっており、組み立て後のこの２つの要素機能部のそれぞれ取り合いは、主尺部１をスライダー部３のみが直線的にのみに、左右に移動することができる構造のものである。ジョウ・表示部を上面から俯瞰した場合は、常時１次元の関係が維持されるものである。  【選択図】図１
0003205138.tif 000002
【実用新案登録請求の範囲】
【請求項１】
主尺と、
前記主尺に設けられ、かつ、前記主尺の周りを回動可能又は回転可能に設けられた内測用測定子又は外測用測定子と、
前記主尺に設けられた、測定長さを示す表示部とを含み、
前記内測用測定子又は外測用測定子は、前記主尺の周りを回動又は回転させることで、前記表示部に対して相対的に角度的な位置関係を変更し得る測定器。
【考案の詳細な説明】
【技術分野】
【０００１】
本考案は、ノギスなどの測定器に関する。
【背景技術】
【０００２】
公知のノギスを代表例にとって述べるが、アナログ式あるいはデジタル式の双方の器具に関して、被測定物の測定箇所あるいは測定ケースによっては、表示器そのものの位置は、オペレータの通常の無理のない姿勢の目線では直読できない測定ケースが存在する。つまり、手首を返したりするなどして初めて測定値が読み取るケースが時々存在する。そのため、現状の器具においては、時として測定精度が狂うことがある等  現状では不都合さが存在しているのも事実である。
【先行技術文献】
【特許文献】
【０００３】
【特許文献１】特開平８−１９３８２７号公報
【考案の概要】
【０００４】
公知のノギスを例にして説明するが、内外測用の左右の測定子、つまり通常の呼称で申すなら、外測測定用ジョウ、あるいは内測測定用クチバシを、独立して回転できる構造のものとし、しかもオペレータの判断で任意の角度に、簡便にワンタッチ固定が可能な構造とし、測定時には右側ジョウの部分（以下に説明するノギスに関しては右利きノギスを意識して説明したい）は表示器＝スライダー部と任意の角度に一体固定可能とし、そして、左側ジョウ部は主尺と回転しない状態にして再ロックできるようにした手法である。
【考案が解決しようとする課題】
【０００５】
本考案の目的は、測定器の表示部を読み取りやすくする測定器を提供するものであり、具体的には、各種の測定事例にいても、無理な姿勢でなく、オペレータの通常の目線で、測定値表示器部を直視できることを可能ならしめるようにするために、表示器を測定器のＸ軸上で回転又は回動可能な構造を盛り込む改善工夫を具現化する測定器を提供する。
【課題を解決するための手段】
【０００６】
本考案に係る測定器は、
主尺と、
前記主尺に設けられ、かつ、前記主尺の周りを回動可能又は回転可能に設けられた内測用測定子又は外測用測定子と、
前記主尺に設けられた、測定長さを示す表示部とを含み、
前記内測用測定子又は外測用測定子は、前記主尺の周りを回動又は回転させることで、前記表示部に対して相対的に角度的な位置関係を変更し得るものである。
【０００７】
本考案は、主尺部とそれに関連する部材及び表示器関連部材である２つの要素部材の働きと機能を熟慮して、種々の測定事例を背景に、改善目標としての仕様（表示器を回転可能にする）を設計に反映させ、具現化したものである。
【０００８】
本考案は、ノギスをその代表例にし、測長器の測定数値判読部、別の表現をすれば数値表示インジケータ部の改善に関する考案である。表示器の仕様はアナログ式あるいはデジタル式を問わないものとする。
【考案の効果】
【０００９】
測定前の簡易な段取りとしてのセット操作で、通常のオレーレータの目線で無理なく測定表示部が直読できる機構なため、操作性・測定の正確さ等が期待できる。
その効果の具体例を挙げるなら、
１：  汎用旋盤加工時に真上から外測値がよみとれる。
２：  クチバシ部を用いて、平面に存在する溝幅、あるいは穴ピッチ、穴径等を測定する場合、真上から表示値が直読できる。
３：  公知のノギスには、右側ジョウの部分にスイベル機構を機能させたものがある。その機能のも通じる測定が可能となる。また、クチバシ部を用いて段差部の測定にも有効性が発揮できる。
４：  バックジョウタイプと称される穴ピッチノギスが存在する。この物はスケール上面より垂直方向に測定子を設けた仕様のもので、この物は水平面に存在する穴のピッチを上面より直読できるようにした専用測定具である。しかし、本考案方式を穴ピッチノギスに適用すると、バックジョウタイプの穴ピッチノギスの置換が可能になる。
【図面の簡単な説明】
【００１０】
【図１】一般的な公知のノギスのイメージ図
【図２】本考案のイメージ図（上面図）
【図３】本考案のイメージ図  表示器部分を９０度  時計回りに回転させたときの側面図。
【考案を実施するための形態】
【００１１】
本実施の形態に係る考案は、アナログ式あるいはデジタル式の測長器に関し、その測長器の測定数値判読部（表示器）を、スケール軸方向の中心線＝回転軸にし、自由に・任意に角度的位置決め可能な構造とした測長器具の具現的手法を提案するものである。
【００１２】
具体的には、本実施の形態に係る考案は、スケール本体としての主尺１と、その主尺１の同芯線上に一致させるように一対の測定子植設ブロックを配置し、それら夫々の機能部材が同芯線上あることによって可能とする軸回転方向の角度位置を任意に設定できる思想を反映させ、運用時には組み立固定を２本のロックボルトで即座に可能にした構造とし、結果的には、測定子の作用面角度に関し、オペレータが最も判読し易い角度的位置に数値測定表示器の判読を可能ならしめる構造の測定器とする。
【００１３】
図面１を説明する。本図はこの通常のＭ型ノギスの場合で、符号１の主尺部は符号３の左側のジョウと、そして、符号２の表示器兼スライダー部は、符号４の右側ジョウと一体になっており、組み立て後のこの２つの要素機能部のそれぞれ取り合いは、符号１の主尺部分を符号３のスライダー部のみがＸ軸上を直線的にのみに、左右に移動することができる構造のものである。ジョウ・表示部を上面から俯瞰した場合は、常時１次元の関係が維持さるものである。  
【００１４】
図２は今般の考案のイメージ図である。本考案を具現化するための機能部材について夫々の取り合い関係について説明する。符号５は、符号２の表示器兼スラダーを回転用回転可能にするための中繰りが施された中空シャフト（回転機能中繰りカラーと命名）で、この物は相互に一体に組付けるものである。符号６は符号１の主尺に合体するようにした主尺部固定ロッド棒である。この符号５と６の部材構想の導入が表示部を回転又は回動可能にした要素部材の主たるものである。
【００１５】
具体的に符号２の表示器部分の回転を施す場合の一連の操作を説明する。まず始めに、符号３の左側ジョウが設けられている機能部と符号６の主尺合体ロッド棒との取り合いについて説明する。符号８の主尺の回転のロックとリリースをすることを目的にしたローレットを施したロックボルトＡを緩める。そして、符号７のロックボルトＢも同時に緩める。この状態においては、符号２のスライダー部と符号３，４の左右のジョウ関係の夫々の回転に関しては、三つの機能部分は任意の角度に回転できる状態にすることが可能になる。つまり、符号２，３，４は夫々独立して単独で自由に回転できる状態になる。
【００１６】
上述したように符号５の回転機能中繰りカラーと符号２の表示器兼スライダーは一体に組み付けられるものだが（一体化した状態のイメージは図３を参照）、符号４の右側ジョウとは、符号７のボルトを緩めた状態では自由に回転できるものとし、しかし、Ｘ方向の関係は位置精度を維持した状態で、回転のみが可能な構造とする。言い換えると、所謂「ガタ」がなく回転できる構造とする。ここで追記説明するが、符号２の表示器と符号１の主尺の取り合い関係は、回転は不能状態とし、Ｘ方向のみにスライドできる構造のものとする。つまり、符号２を回転させると必然的に符号１の主尺も同時に追従することになる。
【００１７】
次に図３を説明したい。このイメージ図は  表示器部分を時計回りに９０度回転させた場合のイメージ図である。表示器はZ矢視方向から読み取ることになる。例えば、このジョウの設定事例は、旋盤加工時で、ワークが旋盤スピンドル軸に取り付けられたまま測定をするときに有効で、それを意識した場合である。
【００１８】
図３を例にしてこの状態に設定する場合の具体的一連の操作を説明したい。表示器角度を変更する場合でも、殆どの測定ケースは、図３の如く符号２，４の左右のジョウはお互いに同一面で使用することが通例である。このセット時に注意をする事柄がある。符号７，８のセットボルトをリリースとロックをする際は、符号２，４の部材を相互に接触させた状態で行うことが好ましい。そして、その状態を維持させたまま、符号２の表示器のみの角度を回転させるようにさせる。この場合、先にも述べたが、主尺部もその角度に追従することになる。この状態にして符号７，８のロックボルトをそれぞれロックする。この時点で符号３，４の左右のジョウは平面的にこの状態を維持したまま、スライドさせることができる。ここであえて説明を加えるが、符号５の回転機構中繰りカラーの中繰り内径は、スライド時に主尺に干渉しない寸法仕様にさせる必要がある。かといって嵌め合いはできるだけシビアーな寸法関係にすることが好ましい。
【００１９】
符号３，４を接触させて行う理由は、符号３に固定されている符号１０の同一平面確認設定ブロックを利用することができるからである。この符号１０の平面確認設定ブロックは、左側のジョウ３の裏面部分に図面の位置に存在させるものとする。もし、符号２と４を離れた位置で感覚的目視確認して、その位置で、夫々のロックボルトを締め付けた場合は、符号２と４を幅寄せした時（表示部読み取り寸法はゼロになるが）には、問題になることは、符号９−１，９−２のクチバシと呼称する測定子との相互干渉が生じる場合があるからである。時としてダメージとなってしまう懸念がある。その点、符号１０を活用すると、この懸念は解消できる。
【００２０】
ただ符号３，４の双方を、あえて平面的に同一とせずに使用することの意味合いがある場合がある。公知のあるノギスの特殊機種として、右側ジョウ４の部分にスイベル機構を盛り込んだものがある。ただこの公知のものは符号４の右側ジョウの部分のみの仕様で、クチバシ部とは無縁であるが、段差のある部分の外測を行うときに有利とした仕様である。この用途にも本考案は有効になる。その場合は  符号３，４を幅寄した状態では、符号１０が存在する関係で、角度の設定は時計回り方向のみになる。逆方向の角度設定をする場合は、符号３，４を離した位置で行うことになる。本考案の仕様は、ジョウ及びクチバシ部の部分双方にも適用でき点は訴求点になる。
【００２１】
また、図面にて図示することはしないが、図３とは異なって表示器部分を反時計回りに９０度回転させて設定するようにすると、この場合は、符号３，４の双方のクチバシ測定子を用いて、水平面の穴ピッチあるいは溝幅寸法を測定する場合に、直読できるという効果が生じる。この場合、クチバシ部は同一面に設定し、表示器部分のみを角度的に回転させる場合である。
【００２２】
図１で作図したイメージ図は、公知のＭ型ノギスに適用した場合である。しかし、本考案の用途・応用は他例がある。例えば穴ピッチノギスも然りである。市販されている大半の穴ピッチノギスの場合は、水平面に置かれた平板の穴間ピッチを測定する場合、測定子と表示器読み取り面とは垂直方向に設定されており（バックジョウタイプ穴ピッチノギスを除き）、つまり、真上からでは直読がし辛いのが一般的である。本考案の方式を適用すると、測定数値表示器角度を任意に設定出来るので大いに役立つと判断する。
【００２３】
通常の穴ピッチノギスの場合も、通常のＭ型ノギスの場合にも言えることだが、本考案仕様が施されていない場合は、測定操作時には、ノギスを掴んでいる手の手首をかえして測定するケースが間々存在する。その場合接触子を測定対象物に接触させたままの状態では、当然、測定値を直読できない。手首を返した状態に戻した段階で初めて直読できるようになるのである。そのとき時とすると測定値がわずかに変化してしまうという懸念が存在することはご理解いただけると思う。このような場合に、本考案はその問題点を解消する方向になる。
【００２４】
以上本考案の有効性について公知の汎用Ｍ型ノギス、穴ピッチノギスに関して触れてきたが、このほかにも本考案が生かされ測定具として、ノギスと称される分類になるが、測定子の形状によって呼称が異なる各種ノギス類（大分類的にはM型ノギスになるが）、ブレードノギス、インサイドノギス、ネックノギス、ポイントニギス等々は勿論、デプスゲージにも、あるいは、ノギス業界に無関係だが、自動車修理関係に多用されている長さ測定具としてのトラッキングゲージと称される長さ測定器にも本考案は適用できる。
【００２５】
ただ本考案を適用する器具によっては多少機能部材の構成部材はそれに合致させた仕様にしなければならない点は当然であると想定している。ただ主尺としの機能部材の中心線部を基線にして各要素部品の回転機構を盛り込むという基本構想は生かされることとなる。
【００２６】
アナログ式あるいはデジタル式の双方の方式の公知のノギスは、長い歴史を経た結果、洗練された現在のイメージのものになっていると考えられる。そして、ユーザも使い勝手もそれなりに認知・容認しているのが現実と考えられる。しかし、本考案のような機能が具現化した品物を目の当たりにすれば、便利性・有効性の認識を新たにしてくれるものと期待される。コストが大幅にアップしない限り市場性は存在するものと判断する。
【産業上の利用可能性】
【００２７】
本考案に係る測定器は、ノギスなどの測定器に適用可能である。
【符号の説明】
【００２８】
符号１  主尺
符号２  測定値表示部兼スライダー
符号３  左ジョウ
符号４  右ジョウ
符号５  回転機能中繰りカラー
符号６  主尺合体ロッド棒
符号７  右ジョウ回転止めロックボルト
符号８  左ジョウ回転止めロックボルト
符号９−１  内測クチバシ（表示器に同期連動部）
符号９−２  内測クチバシ（主尺固定部）
符号１０    同一平面確認ブロック
【図１】
0003205138.tif 000003
【図２】
0003205138.tif 000004
【図３】
0003205138.tif 000005